(57)【要約】【課題】  スピンドルモータの回転軸と光ピックアップのガイドシャフトとの距離の精度が良く、且つ組付けが容易となる光ディスク装置を提供する。【解決手段】  光ディスクを回転駆動するスピンドルモータ４４と、光ディスクにレーザ光を照射し、光ディスクで反射したレーザ光の反射光を受光する光ピックアップ３６と、光ピックアップ３６を光ディスクの径方向に移動させるために、光ピックアップ３６の移動方向に延出し、光ピックアップ３６の移動をガイドするガイドシャフト５４ａ，５４ｂと、スピンドルモータ４４およびガイドシャフト５４ａ，５４ｂが固定されているメカシャーシ３２とを具備する光ディスク装置において、スピンドルモータ４４とガイドシャフト５４ａの一端は、共通のベースプレート５０を介してメカシャーシ３２に固定されている。【選択図】        図３
2007052870.tif 000002
【特許請求の範囲】
【請求項１】
光ディスクを回転駆動するスピンドルモータと、
光ディスクにレーザ光を照射し、光ディスクで反射したレーザ光の反射光を受光する光ピックアップと、
光ピックアップを光ディスクの径方向に移動させるために、光ピックアップの移動方向に延出し、光ピックアップの移動をガイドするガイドシャフトと、
前記スピンドルモータおよび前記ガイドシャフトが固定されているメカシャーシとを具備する光ディスク装置において、
前記スピンドルモータと前記ガイドシャフトの一端は、共通のベースプレートを介して前記メカシャーシに固定されていることを特徴とする光ディスク装置。
【請求項２】
前記スピンドルモータは、モータ本体と、該モータ本体と一体に構成されたプリント基板とから成り、
前記ベースプレートには、前記プリント基板が固定されることにより前記スピンドルモータ全体が固定され、
前記ベースプレートは、前記プリント基板よりも幅広に形成され、
前記ガイドシャフトの一端は、前記ベースプレートにおける前記プリント基板が設けられていない箇所に固定されることを特徴とする請求項１記載の光ディスク装置。
【請求項３】
前記ガイドシャフトの一端には、固定用のホルダが装着され、該ホルダが前記ベースプレートに固定されていることを特徴とする請求項１または請求項２記載の光ディスク装置。
【発明の詳細な説明】
【技術分野】
【０００１】
本発明は、光ピックアップを移動させるために、光ピックアップの移動方向に延出するガイドシャフトを具備する光ディスク装置に関する。
【背景技術】
【０００２】
ＣＤやＤＶＤ等の光ディスクをドライブする光ディスク装置は、光ディスクを回転させるスピンドルモータ、および光ディスクにレーザ光を照射する光ピックアップを具備している。
【０００３】
以下、従来のスピンドルモータおよび光ピックアップの取り付け構造について図６，図７に基づいて説明する。図７は図６のＡ部分の拡大図である。
スピンドルモータ１０および光ピックアップ１２は、金属製の部材であるメカシャーシ１３に設けられている。メカシャーシ１３は金属製の薄板であり、四隅にゴムブッシュ等の防震部材１６が設けられている。
【０００４】
光ピックアップ１２は、光ピックアップ１２の両側に平行して配置された２本のガイドシャフト１８に支持されており、ガイドシャフト１８に沿って移動可能である。
２本のガイドシャフトのうち１本のガイドシャフト１８の一端には、固定用のホルダ２０が装着され、ホルダ２０がネジ１９によりメカシャーシ１３に固定されている。両ガイドシャフト１８の他端は、メカシャーシ１３の一部が切り起こされて形成された保持部２３に挿入され固定されている。
【０００５】
スピンドルモータ１０は、回転軸を有するモータ本体１１と、モータ本体１１の磁極位置を検出するホール素子（図示せず）が設けられたプリント基板２４とが一体となるように設けられている。このプリント基板２４がベースプレート２６上に載置され、プリント基板２４とベースプレート２６とはカシメにより固定される。そして、プリント基板２４が固定されたベースプレート２６がメカシャーシ１３にネジ（図示せず）によって固定される。このように、スピンドルモータ１０は、プリント基板２４をベースプレート２６に取り付けることによりメカシャーシ１３に固定される。
【０００６】
また、ベースプレート２６の下面（メカシャーシ側）には、位置決め用の複数の凹部が形成されており、またメカシャーシ１３の上面には、ベースプレート２６の各凹部内に進入可能な複数のボスが形成されている（図示せず）。
したがって、スピンドルモータ１０が取り付けられたベースプレート２６をメカシャーシ１３に固定する場合には、ベースプレート２６の凹部にメカシャーシ１３の対応するボスを挿入して位置決めをした後、ベースプレート２６をメカシャーシ１３へネジ止めして固定する。
【０００７】
上述したように、従来の光ディスク装置における光ピックアップ１２のガイドシャフト１８のメカシャーシ１３への固定は、スピンドルモータ１０の固定とは別個に行なわれるのが通常であった（例えば、特許文献１および特許文献２参照）
【０００８】
【特許文献１】特開２００３−６８９９号公報（図３）
【特許文献２】特開２００３−２１７１５４号公報（図２および図３）
【発明の開示】
【発明が解決しようとする課題】
【０００９】
ガイドシャフトは、光ピックアップの移動をガイドするものであるため、スピンドルモータの回転軸との距離を正確に出すことが、光ディスク装置の製造時において求められている。
ガイドシャフトとスピンドルモータの回転軸の距離の誤差は、ガイドシャフトをメカシャーシに取り付けるためにメカシャーシに穿設した固定用のネジ穴の位置の誤差、ベースプレートの凹部とメカシャーシのボスとの間の誤差、およびガイドシャフトとホルダとのがたつきによって決まる。
したがって、ガイドシャフトとスピンドルモータの回転軸との距離の誤差は、メカシャーシとベースプレートとの間の誤差とホルダのがたつきによる誤差との積み重ねになってしまっており、誤差の修正に手間がかかるという課題があった。
【００１０】
また、ガイドシャフトとスピンドルモータは、互いの距離を正確に精度良く組付ける必要があるにもかかわらず、それぞれ別個にメカシャーシに組付けていたので、誤差を修正しつつ組付けを行なう必要があり、メカシャーシへの組付け自体にも手間がかかるという課題があった。
具体的には、まずガイドシャフトをメカシャーシに固定した後、ガイドシャフトからの距離が所定距離となるように形成された治具を用いてスピンドルモータの位置を調整しつつスピンドルモータが固定されたベースプレートをメカシャーシに固定することで、ガイドシャフトおよびスピンドルモータをメカシャーシに組付けていた。
【００１１】
そこで、本発明は上記課題を解決すべくなされ、その目的とするところは、スピンドルモータの回転軸と光ピックアップのガイドシャフトとの距離の精度が良く、且つ組付けが容易となる光ディスク装置を提供することにある。
【課題を解決するための手段】
【００１２】
本発明にかかる光ディスク装置によれば、光ディスクを回転駆動するスピンドルモータと、光ディスクにレーザ光を照射し、光ディスクで反射したレーザ光の反射光を受光する光ピックアップと、光ピックアップを光ディスクの径方向に移動させるために、光ピックアップの移動方向に延出し、光ピックアップの移動をガイドするガイドシャフトと、前記スピンドルモータおよび前記ガイドシャフトが固定されているメカシャーシとを具備する光ディスク装置において、前記スピンドルモータおよび前記ガイドシャフトの一端は、共通のベースプレートを介して前記メカシャーシに固定されていることを特徴としている。
この構成を採用することによる作用は以下の通りである。
すなわち、スピンドルモータおよびガイドシャフトの一端は、同一のベースプレートにまず取り付けられ、このベースプレートがメカシャーシに固定されるので、ベースプレートへの組付けの精度が良ければ、メカシャーシへの組付け時に治具を用いることもなく、組付け作業が容易である。
さらに、この構成により、従来よりもスピンドルモータの振動を光ピックアップに伝達しやすくなる。すなわち、スピンドルモータとガイドシャフトを共通の部材であるベースプレートに固定することで、光ピックアップとスピンドルモータの振動を一致させることができ、リードエラーやライトエラーを減らすことができる。
【００１３】
また、前記スピンドルモータは、モータ本体と、該モータ本体と一体に構成されたプリント基板とから成り、前記ベースプレートには、前記プリント基板が固定されることにより前記スピンドルモータ全体が固定され、前記ベースプレートは、前記プリント基板よりも幅広に形成され、前記ガイドシャフトの一端は、前記ベースプレートにおける前記プリント基板が設けられていない箇所に固定されることを特徴としてもよい。
【００１４】
さらに、前記ガイドシャフトの一端には、固定用のホルダが装着され、該ホルダが前記ベースプレートに固定されていることを特徴としてもよい。
【発明の効果】
【００１５】
本発明の光ディスク装置によれば、スピンドルモータの回転軸と光ピックアップのガイドシャフトとの距離の精度が良く、且つ製造時に組付けが容易である。このため、最終的には高性能の光ディスク装置を低コストにて提供することが可能となる。
【発明を実施するための最良の形態】
【００１６】
（実施例）
光ディスク装置は、ＣＤやＤＶＤ等の光ディスクをドライブする装置であり、光ディスクにレーザ光を照射し、照射したレーザ光の反射光を受光する光ピックアップと、光ディスクを回転させるスピンドルモータとを具備している。以下、光ディスク装置の実施の形態について、添付図面に基づいて説明する。
【００１７】
図１は、光ディスク装置の内部構造において、筐体であるカバーケース（図示せず）を取り外した状態で下方側から見たところを示している。
光ディスク装置内部には、カバーケースの前面側から突出入可能に設けられて光ディスク（図示せず）を載置するトレイ３０と、光ピックアップ３６およびスピンドルモータ４４等の構成部材が組付けられる金属製のメカシャーシ３２と、メカシャーシ３２の周囲を囲むようにして配置された樹脂製のメインシャーシ３４とが設けられている。なお、図１および図２ではメカシャーシ３２には、構成部材を組付けていないところを示している。
【００１８】
メカシャーシ３２は、光ディスク装置の背面側の端縁が防震部材３５を介してメインシャーシ３４にネジ止め等により固定され、前面側の端縁が防震部材３５を介してネジ止め等によりサブシャーシ３９に固定されている。サブシャーシ３９は、ほぼコの字状に形成され、両端部分にはメインシャーシ３４の内壁面に軸支させるために外方に向けて突出する取付ピン３７が設けられている。
【００１９】
メカシャーシ３２は、平面視ほぼ四角形状の薄板である。メカシャーシ３２の中央部分は、光ピックアップ３６が移動可能に配置されるべく空洞部３８が形成されている。
メカシャーシの符号４０はスピンドルモータ４４のベースプレート５０を取付けるために穿設されたネジ穴である。また、後述するように、符号４１，４２はガイドシャフトの他端をメカシャーシ３２に保持するための保持部である。
【００２０】
図３にメカシャーシに各部材を取付けたところを上方側から見たところを示し、図４には図３のＡ部分を拡大したところを示している。
スピンドルモータ４４は、回転軸や回転軸の上端部に光ディスクが載置されるターンテーブル４５が設けられて成るモータ本体６９と、モータ本体６９に電気的に接続されたプリント基板４６がスピンドルモータ４４と一体となるように固定されて構成されている。プリント基板４６には、スピンドルモータ４４の磁極位置を検出する磁気センサであるホール素子（図示せず）が設けられており、また光ディスク装置の全体制御を実行するメインボード（図示せず）に接続するためのフレキシブル配線４７が接続されている。
【００２１】
プリント基板４６は、金属製のベースプレート５０に取付けられて固定される。プリント基板４６のベースプレート５０への固定は、カシメによって行なわれている。ベースプレート５０は、プリント基板４６の幅よりも幅広に形成されており、ベースプレート５０上にはプリント基板４６と隣接してガイドシャフト５４ａのホルダ５２が固定される。
【００２２】
ガイドシャフト５４ａ，５４ｂは、光ピックアップ３６の幅方向の両側に配置されており、光ピックアップ３６を移動可能に支持している。光ピックアップ３６の両側には、ガイドシャフト５４ａ，５４ｂを挿通させるＵ字状の保持部５５が設けられており、保持部５５に両ガイドシャフト５４が挿通されて光ピックアップ３６が両ガイドシャフト５４に支持される。
【００２３】
２本のガイドシャフト５４のうちいずれか１本のガイドシャフト５４ａの一端には、樹脂製のホルダ５２が装着されている。ホルダ５２はガイドシャフト５４ａの一端をベースプレート５０に固定するための部材である。
ホルダ５２は、上述したようにベースプレート５０上に配置され、ベースプレート５０に対してネジ５１により固定される。
【００２４】
このように、ベースプレート５０には、スピンドルモータ４４の固定用のカシメ用のバーリング穴（図示せず）と、ホルダ５２の固定用のネジ穴（図示せず）と、ベースプレート５０自身をメカシャーシ３２へ固定するためのネジ穴４０とを予め穿設しておく必要がある。
そして、スピンドルモータ４４およびガイドシャフト５４ａの双方が取付けられたベースプレート５０は、ネジ止めによりメカシャーシ３２に固定される。
【００２５】
なお、本実施例では、図５に示すように、ベースプレート５０の下面（メカシャーシ側）には、位置決め用の複数の凹部７０，７０が形成されており、メカシャーシ３２の上面には、ベースプレート５０の各凹部７０に進入可能な複数のボス７２，７２が形成されている。
したがって、ベースプレート５０をメカシャーシ３２に取り付ける際には、まずメカシャーシ３２のボス７２を、ベースプレート５０の対応する凹部７０内に挿入して位置決めを行なってからネジ止めにより固定する。
【００２６】
一端がベースプレート５０を介してメカシャーシ３２に固定されたガイドシャフト５４ａの他端側は、メカシャーシ３２の一部が切り起こされて形成された保持部４２に保持される。保持部４２は、ガイドシャフト５４ａの他端を挿通させる挿通穴が形成されている。挿通穴は、上下方向に長い長穴として形成されており、ガイドシャフト５４ａは挿通穴内で上下方向に移動可能である。
また、ガイドシャフト５４ａの他端側は、捻りコイルばね６０によって上方から下方に向けて押圧されている。すなわち、ガイドシャフト５４ａの上下方向の位置決めは、ガイドシャフト５４ａの下面に当接するネジ６１を調整することによって行なわれ、ネジ６１によって調整された位置を固定するために捻りコイルばね６０によってガイドシャフト５４ａをネジ６１に押圧させるようにしているのである。
【００２７】
本実施例における２本のガイドシャフト５４のうち、他の１本のガイドシャフト５４ｂについては、一端および他端の両端部がメカシャーシ３２の一部が切り起こされて形成された保持部４１に保持されている。保持部４１には、ガイドシャフト５４ｂの端部を載置可能な切り欠き部が形成されており、切り欠き部内にガイドシャフト５４ｂが載置される。
このガイドシャフト５４ｂの両端部は、捻りコイルばね６３によって上方から下方に向けて押圧されている。このガイドシャフト５４ｂも上下方向の位置決めは、ガイドシャフト５４の下面に当接するネジ６４を調整することによって行なわれ、ネジ６４によって調整された位置を固定するために捻りコイルばね６３によってガイドシャフト５４ｂをネジ６４に押圧させるようにしている。
【００２８】
また、光ピックアップ３６の移動は、ガイドシャフト５４と平行にガイドシャフト５４に沿って延出されたリードスクリュー（図示せず）によって行なわれる。
リードスクリューは、一端がモータ６６の回転軸に固定され、他端がモータ６６に設けられた取付金具の軸受部６８に回転可能に保持され、モータ６６の回転によって回転する。リードスクリューに形成された螺旋状の溝部には、光ピックアップ３６に設けられた爪部（図示せず）が嵌合するように配置されている。モータ６６が駆動してリードスクリューが回転すると、リードスクリューの螺旋状の溝部に沿って光ピックアップ３６が移動する。
【００２９】
上述してきた実施の形態では、２本のガイドシャフト５４のうち１本のガイドシャフト５４ａについて、一端をスピンドルモータ４４が固定されたベースプレート５０に固定するようにした。しかし、他の実施の形態として、２本のガイドシャフト５４ａ，５４ｂ双方の一端をスピンドルモータ４４が固定されたベースプレート５０に固定するようにしてもよい。
【００３０】
また、上述してきた、実施の形態では、ガイドシャフト５４ａの一端に樹脂製のホルダ５２を装着し、このホルダ５２をネジ止め等によりベースプレート５０に固定するようにした。
しかし、本発明としては、このような構造に限定されることはなく、ベースプレートにガイドシャフトの一端を固定できるような固定部を予め形成しておき、ガイドシャフトはベースプレートに直接固定できるように設けてもよい。
【００３１】
以上本発明につき好適な実施例を挙げて種々説明したが、本発明はこの実施例に限定されるものではなく、発明の精神を逸脱しない範囲内で多くの改変を施し得るのはもちろんである。
【図面の簡単な説明】
【００３２】
【図１】本発明にかかる光ディスク装置の内部構造について、カバーケースを取り外した状態で斜め下方側から見たところを示す斜視図である。
【図２】光ディスク装置内部のサブシャーシとメカシャーシを、斜め下方側から見たところを示斜視図である。
【図３】メカシャーシに各構成部材を組付けて斜め上方側から見たところを示す斜視図である。
【図４】図３に示した斜視図のＡ部分の拡大図である。
【図５】位置決め構造の概略について説明する説明図である。
【図６】従来の光ディスク装置において、メカシャーシに各構成部材を組付けて斜め上方側から見たところを示す斜視図である。
【図７】図６に示した従来の光ディスク装置のＡ部分の拡大図である。
【符号の説明】
【００３３】
３０   トレイ
３２   メカシャーシ
３４   メインシャーシ
３５   防震部材
３６   光ピックアップ
３７   取付ピン
３８   空洞部
３９   サブシャーシ
４０   ネジ穴
４１，４２，５５     保持部
４４   スピンドルモータ
４５   ターンテーブル
４６   プリント基板
４７   フレキシブル配線
５０   ベースプレート
５１，６１，６４     ネジ
５２   ホルダ
５４   ガイドシャフト
６６   モータ
６８   軸受部
７０   凹部
７２   ボス
【図１】
2007052870.tif 000003
【図２】
2007052870.tif 000004
【図３】
2007052870.tif 000005
【図４】
2007052870.tif 000006
【図５】
2007052870.tif 000007
【図６】
2007052870.tif 000008
【図７】
2007052870.tif 000009